(57)【特許請求の範囲】
【請求項１】
互いに平行する向きで隣り合わせに配置した二枚の基板と、それらの基板のそれぞれに形成され、該基板の表面側に延びて相互に共同してリング形状をなす複数対の半リング部分とを具えてなり、各基板の回動変位により、複数対の半リング部分を、対をなす該半リング部分のそれぞれの先端部が互いに近接してリング形状を形成する閉鎖位置と、対をなす該半リング部分のそれぞれの先端部が互いに離隔する開放位置との間で移動可能としたルーズリーフ綴具であって、
少なくとも一方の基板の裏面に、該裏面から隆起するとともに、基板の延在方向に沿って互いに離隔させて配置した二個以上のシャフト連結部、及び、前記二個以上のシャフト連結部の間で前記裏面から間隔をおいて基板と平行に延びて、各端部がシャフト連結部のそれぞれに固定された一本以上の両端固定シャフトを一体に設けるとともに、
他方の基板の裏面で、前記一方の基板の前記両端固定シャフトに隣接する位置に、該両端固定シャフトの周囲を、該両端固定シャフトの周方向の一部を除いて取り囲む一個以上のシャフト把持部を一体に設け、
前記シャフト把持部に把持させた前記両端固定シャフトの周りで、二枚の基板を回動変位可能とし、
二枚の基板の相互の隣接箇所のそれぞれに、前記基板の延在方向に沿う相対変位に伴い、互いに接触して摺動することにより、対をなす半リング部分の先端部を互いに離隔させる基板の回動変位をもたらすスライド開放機構を設けてなるルーズリーフ綴具。
【請求項２】
二枚の基板の相互の隣接箇所のそれぞれに、該基板の正面視で基板の延在方向に対して傾斜するとともに、前記基板の延在方向に沿う相対変位に伴い、互いに接触して摺動する少なくとも一対のガイド傾斜面を設け、前記ガイド傾斜面により、前記スライド開放機構を構成してなる請求項１に記載のルーズリーフ綴具。
【請求項３】
二枚の基板の相互の隣接面のそれぞれに、該隣接面から突出する突起部、及び、該突起部に連続して前記隣接面から窪む突起受容溝部を設け、前記突起部から突起受容溝部にかけて、前記ガイド傾斜面を配設してなる請求項２に記載のルーズリーフ綴具。
【請求項４】
前記基板の裏面側に、二枚の基板の相互を、前記基板の延在方向に沿う相対変位に抗する向きだけに付勢する弾性部材を配置してなる請求項１〜３のいずれか一項に記載のルーズリーフ綴具。
【請求項５】
前記シャフト把持部又はシャフト連結部の端面に、該端面から窪む係合凹部を設け、該端面に隣接する前記シャフト把持部又はシャフト連結部の端面に、半リング部分の閉鎖位置で前記係合凹部に嵌まり込むとともに、前記基板の延在方向に沿う相対変位に伴い、前記係合凹部から外れる係合凸部を設けてなる請求項４に記載のルーズリーフ綴具。
【請求項６】
前記シャフト把持部を筒状とし、該筒状のシャフト把持部の側壁に、該シャフト把持部の軸線方向の全長にわたるスリットを設け、該スリットを、前記係合凸部が嵌り込む係合凹部としてなる請求項５に記載のルーズリーフ綴具。
【請求項７】
前記係合凹部を設けた前記シャフト把持部又はシャフト連結部の端面に、前記基板の延在方向に沿う相対変位により前記係合凹部から外れた係合凸部が、半リング部分の開放位置で当接するストッパー面を設けてなる請求項５に記載のルーズリーフ綴具。
【請求項８】
前記係合凹部を設けた前記シャフト把持部又はシャフト連結部の端面に、前記基板の延在方向に沿う相対変位により前記係合凹部から外れた係合凸部が、基板の回動変位に際して当接して摺動する凸部スライド領域を、該端面から隆起させて設け、当該凸部スライド領域により、基板の回動変位に伴う前記係合凸部と前記端面との間の摩擦抵抗を増大させてなる請求項５又は７に記載のルーズリーフ綴具。
【請求項９】
互いに隣接する前記シャフト把持部又はシャフト連結部のそれぞれの端面に、二組の係合凸部及び係合凹部を設け、それらの係合凸部を、前記半リング部分の開放位置で互いに当接させてなる請求項５、７、８のいずれか一項に記載のルーズリーフ綴具。
【発明の詳細な説明】
【技術分野】
【０００１】
この発明は、互いに平行な二枚の基板の相対的な回動変位により、各基板に形成した複数対の半リング部分を、それらのそれぞれの先端部が互いに近接してリング形状をなす閉鎖位置と、それぞれの先端部が互いに離隔する開放位置との間で移動可能に構成してなるルーズリーフ綴具に関するものであり、特には、使用者によるルーズリーフ綴具の操作性を向上させることのできる技術を提案するものである。
【背景技術】
【０００２】
この種のルーズリーフ綴具として、出願人は先に、特願２０１４−０８０５８７号で、二枚の基板の回動変位を可能にするシャフトを、基板と一体に形成したものを提案した。
より詳細には、このルーズリーフ綴具１０１は、図１８（ａ）及び（ｂ）に示すように、互いに平行する向きで隣り合わせに配置した二枚の基板１０２ａ、１０２ｂと、それらの基板１０２ａ、１０２ｂのそれぞれに形成した複数対の半リング部分１０３ａ、１０３ｂと、少なくとも一方の基板１０２ａ、１０２ｂの裏面Ｂに一体に形成されて、基板１０２ａ、１０２ｂと平行に延びる一本以上の両端固定シャフト１０４と、他方の基板１０２ｂ、１０２ａの裏面Ｂに一体に形成されて、両端固定シャフト１０４の周囲を取り囲む一個以上のシャフト把持部１０５とを具えてなる。
【０００３】
このルーズリーフ綴具１０１によれば、二枚の基板１０２ａ、１０２ｂが、シャフト把持部１０５に把持させた両端固定シャフト１０４の周りで回動変位することができる。
それにより、従来はシャフトとして用いていた金属製の別個の軸部材を不要として、部材点数の削減を図ることができるので、製造時の組立て作業の能率を大きく高めるとともに、製造コストを小さく抑えることができる。
【０００４】
図示のルーズリーフ綴具１０１を使用するに当っては、使用者は、各基板１０２ａ、１０２ｂの端部に設けた摘み部分１０７ａ、１０７ｂを把持し、そして、基板１０２ａ、１０２ｂの裏面Ｂ側に配置したコイルばね１０８の付勢力に抗して、二枚の基板１０２ａ、１０２ｂを相互に、その延在方向に沿って相対変位させることにより、プレートロック手段１０９のロックが解除される。
その状態で、半リング部分１０３ａ、１０３ｂを開く方向に、基板１０２ａ、１０２ｂを回動変位させることで、半リング部分１０３ａ、１０３ｂを開放位置に移動させることができる。
【発明の概要】
【発明が解決しようとする課題】
【０００５】
ところで、上述したようなルーズリーフ綴具１０１では、基板１０２ａ、１０２ｂを延在方向に沿って相対変位させる操作だけでは、半リング部分１０３ａ、１０３ｂが開かないので、使用者は、基板１０２ａ、１０２ｂの相対変位の操作の後、半リング部分１０３ａ、１０３ｂの開放位置に向けて基板１０２ａ、１０２ｂを回動変位させるという更なる操作を行うことが必要であり、それ故に、ルーズリーフ綴具１０１の操作性の観点からは改良の余地があった。
【０００６】
このことに対しては、上記のコイルばね１０８として、図１９に示すような、コイル本体部１０９の巻始端及び巻終端のそれぞれをコイル外周よりも半径方向外側に向けて延長させて脚部１１０を設けた、いわゆるねじりコイルばね１１１を用いることにより対処することも可能である。
ねじりコイルばね１１１を用いる場合、両脚部１１０によって、半リング部分１０３ａ、１０３ｂの開く方向に回動変位するべく、基板１０２ａ、１０２ｂを付勢させることで、基板１０２ａ、１０２ｂの延在方向の相対変位によるプレートロック手段１０９のロック解除後、脚部１１０の付勢力が、基板１０２ａ、１０２ｂの回動変位をもたらすので、半リング部分１０３ａ、１０３ｂが開放位置へ自動的に移動することになる。それにより、この場合は、使用者による基板１０２ａ、１０２ｂの回動変位の操作は不要となる。
【０００７】
しかるに、このようなねじりコイルばね１１１を用いると、ルーズリーフ綴具１０１を製造するに際し、二枚の基板１０２ａ、１０２ｂの組立て時に、ねじりコイルばね１１１を、付勢力に抗して脚部１１０が所定位置に収まるよう配置する作業が必要になり、このことが、特に量産する場合の製造能率を大きく低下させるという問題がある。
【０００８】
この発明は、ルーズリーフ綴具が抱えるこのような問題を解決することを課題とするものであり、それの目的とするところは、ルーズリーフ綴具の製造能率を低下させることなしに、使用者による基板の相対変位の操作の後の、基板の回動変位の操作を補助し、それにより、ルーズリーフ綴具の操作性を向上させることのできるルーズリーフ綴具を提供することにある。
【課題を解決するための手段】
【０００９】
この発明のルーズリーフ綴具は、互いに平行する向きで隣り合わせに配置した二枚の基板と、それらの基板のそれぞれに形成され、該基板の表面側に延びて相互に共同してリング形状をなす複数対の半リング部分とを具えてなり、各基板の回動変位により、複数対の半リング部分を、対をなす該半リング部分のそれぞれの先端部が互いに近接してリング形状を形成する閉鎖位置と、対をなす該半リング部分のそれぞれの先端部が互いに離隔する開放位置との間で移動可能としたものであって、少なくとも一方の基板の裏面に、該裏面から隆起するとともに、基板の延在方向に沿って互いに離隔させて配置した二個以上のシャフト連結部、及び、前記二個以上のシャフト連結部の間で前記裏面から間隔をおいて基板と平行に延びて、各端部がシャフト連結部のそれぞれに固定された一本以上の両端固定シャフトを一体に設けるとともに、他方の基板の裏面で、前記一方の基板の前記両端固定シャフトに隣接する位置に、該両端固定シャフトの周囲を、該両端固定シャフトの周方向の一部を除いて取り囲む一個以上のシャフト把持部を一体に設け、前記シャフト把持部に把持させた前記両端固定シャフトの周りで、二枚の基板を回動変位可能とし、二枚の基板の相互の隣接箇所のそれぞれに、前記基板の延在方向に沿う相対変位に伴い、互いに接触して摺動することにより、対をなす半リング部分の先端部を互いに離隔させる基板の回動変位をもたらすスライド開放機構を設けてなるものである。
【００１０】
この発明のルーズリーフ綴具では、二枚の基板の相互の隣接箇所のそれぞれに、該基板の正面視で基板の延在方向に対して傾斜するとともに、前記基板の延在方向に沿う相対変位に伴い、互いに接触して摺動する少なくとも一対のガイド傾斜面を設け、前記ガイド傾斜面により、前記スライド開放機構を構成することが好ましい。
ここでは、二枚の基板の相互の隣接面のそれぞれに、該隣接面から突出する突起部、及び、該突起部に連続して前記隣接面から窪む突起受容溝部を設け、前記突起部から突起受容溝部にかけて、前記ガイド傾斜面を配設することがより好ましい。
【００１１】
なお好ましくは、前記基板の裏面側に、二枚の基板の相互を、前記基板の延在方向に沿う相対変位に抗する向きだけに付勢する弾性部材を配置する。
ここでいう、「二枚の基板の相互を、前記基板の延在方向に沿う相対変位に抗する向きだけに付勢する弾性部材」とは、基板の延在方向に沿う相対変位に抗する向きの他、半リング部分が開く方向にも付勢する脚部を有するねじりコイルばね等を含まないことを意味する。
【００１３】
そしてここでは、前記シャフト把持部又はシャフト連結部の端面に、該端面から窪む係合凹部を設け、該端面に隣接する前記シャフト把持部又はシャフト連結部の端面に、半リング部分の閉鎖位置で前記係合凹部に嵌まり込むとともに、前記基板の延在方向に沿う相対変位に伴い、前記係合凹部から外れる係合凸部を設けることが好ましい。
【００１４】
上記の係合凸部及び係合凹部を設ける場合、前記シャフト把持部を筒状とし、該筒状のシャフト把持部の側壁に、該シャフト把持部の軸線方向の全長にわたるスリットを設け、該スリットを、前記係合凸部が嵌り込む係合凹部とすることも可能である。
またこの場合、前記係合凹部を設けた前記シャフト把持部又はシャフト連結部の端面に、前記基板の延在方向に沿う相対変位により前記係合凹部から外れた係合凸部が、半リング部分の開放位置で当接するストッパー面を設けることが好ましい。
【００１５】
そしてまた好ましくは、前記係合凹部を設けた前記シャフト把持部又はシャフト連結部の端面に、前記基板の延在方向に沿う相対変位により前記係合凹部から外れた係合凸部が、基板の回動変位に際して当接して摺動する凸部スライド領域を、該端面から隆起させて設け、当該凸部スライド領域により、基板の回動変位に伴う前記係合凸部と前記端面との間の摩擦抵抗を増大させる。
またここでは、互いに隣接する前記シャフト把持部又はシャフト連結部のそれぞれの端面に、二組の係合凸部及び係合凹部を設け、それらの係合凸部を、前記半リング部分の開放位置で互いに当接させることが好ましい。
【発明の効果】
【００１６】
この発明のルーズリーフ綴具によれば、二枚の基板の相互の隣接箇所のそれぞれに、基板の延在方向に沿う相対変位に伴って互いに接触して摺動して、対をなす半リング部分の先端部を互いに離隔させる基板の回動変位をもたらすスライド開放機構を設けたことにより、使用者が、基板を延在方向に沿って相対変位させる操作を行うことで、半リング部分が開く方向への基板の回動変位が生じるので、ルーズリーフ綴具の操作性を向上させることができる。
【図面の簡単な説明】
【００１７】
【図１】この発明の一の実施形態に係るルーズリーフ綴具を示す正面図である。
【図２】図１のルーズリーフ綴具を構成するプレート部材を示す正面図及び側面図である。
【図３】図１のルーズリーフ綴具に設けたスライド開放機構を示す部分拡大斜視図である。
【図４】図１のルーズリーフ綴具を、基板の相対変位に基く動作の各状態で示す正面図である。
【図５】図１のルーズリーフ綴具に配設することができる弾性部材の正面図である。
【図６】図１のルーズリーフ綴具の斜視図である。
【図７】図１のルーズリーフ綴具の側面図である。
【図８】図２のプレート部材の背面図及び、その部分拡大図である。
【図９】図１のルーズリーフ綴具の部分拡大側面図である。
【図１０】図１のルーズリーフ綴具が有する凸部スライド領域を示す、プレート部材の部分拡大斜視図である。
【図１１】図１０の凸部スライド領域を、基板の回動変位時の各位置で示すルーズリーフ綴具の部分拡大斜視図である。
【図１２】図１のルーズリーフ綴具を、半リング部分を開放位置まで開いた状態で示す、図１のＸＩＩ―ＸＩＩ線に沿う断面図である。
【図１３】図１のルーズリーフ綴具を、半リング部分が開いた状態で示す側面図である。
【図１４】図１のルーズリーフ綴具に設けた開放維持機構付きロック手段を示す、各プレート部材の部分拡大斜視図である。
【図１５】図１のルーズリーフ綴具に設けた開き規制機構付きロック手段を示す、各プレート部材の部分拡大斜視図である。
【図１６】図１３のＸＶＩ−ＸＶＩ線に沿う断面図である。
【図１７】図１のルーズリーフ綴具の弾性部材の配置箇所を、弾性部材を取り外した状態で示す部分拡大斜視図である。
【図１８】従来のルーズリーフ綴具を示す正面図及び側面図である。
【図１９】図１８に示すルーズリーフ綴具に用いることができるねじりコイルばねの正面図及び平面図である。
【発明を実施するための形態】
【００１８】
以下に図面に示すところに基き、この発明の実施の形態について詳細に説明する。
図１に例示するルーズリーフ綴具１は、一方向に向けて延びる略矩形断面の棒状をなす一方の基板２ａと、一方の基板２ａと平行する向きで隣り合わせに配置した他方の基板２ｂと、それらの基板２ａ、２ｂのそれぞれの外側面Ｓ１に形成されて、その外側面Ｓ１から基板２ａ、２ｂの表面Ｆ側に実質的に半円環状に延びる複数対、図では八対の半リング部分３ａ、３ｂとを具えてなる。
なお好ましくは、基板２ａ、２ｂ及び半リング部分３ａ、３ｂは、樹脂材料で形成したプラスチック製のものとする。
【００１９】
ここで、図示しないルーズリーフ等の用紙に設けられる複数個の貫通穴のそれぞれに挿入されて、当該用紙を係留させるべく機能する半リング部分３ａ、３ｂは、それらを形成した基板２ａ、２ｂを、その裏面Ｂ側に設ける後述の両端固定シャフトのようなシャフトの周りで回動変位させることにより、先端部４ａ、４ｂが互いに接近して、図１に示すようにリング形状を形成する閉鎖位置と、先端部４ａ、４ｂが互いに離隔する開放位置との間を移動可能に構成される。
それにより、半リング部分３ａ、３ｂの開放位置では、用紙の着脱を行うことができるとともに、半リング部分３ａ、３ｂの閉鎖位置では、該用紙を綴じ込んで保持することができる。
【００２０】
上記のルーズリーフ綴具１を使用者が操作するには、使用者は、はじめに、後述するような、半リング部分３ａ、３ｂを閉鎖位置で拘束するロック手段のロックを解除するため、それぞれの基板２ａ、２ｂの端部に設けた摘み部分５ａ、５ｂを把持した状態で、一方の基板２ａと他方の基板２ｂとを、その延在方向（図１では左右方向）に沿って相対変位させる。
【００２１】
そしてその後、従来は、たとえば、摘み部分を把持しつつ、さらに対をなす半リング部分のそれぞれを把持する等して、半リング部分を開放位置へ移動させるべく基板を回動変位させる操作が必要であったが、この発明では、このような基板の回動変位の操作を補助するため、基板２ａ、２ｂの相互の隣接箇所のそれぞれに、前記基板２ａ、２ｂの延在方向に沿う相対変位に伴い、互いに接触して摺動することにより、対をなす半リング部分３ａ、３ｂの先端部４ａ、４ｂを互いに離隔させる基板２ａ、２ｂの回動変位をもたらすスライド開放機構６を設ける。
【００２２】
かかるスライド開放機構６を詳説すると、この実施形態では、図２に、ルーズリーフ綴具１を構成する二個のプレート部材７ａ、７ｂのうちの一方のプレート部材７ｂを示すように、また図３に、そのスライド開放機構６を拡大して示すように、二枚の基板２ａ、２ｂの相互の隣接面である内側面Ｓ２に、その内側面Ｓ２から突出する突起部８、及び、突起部８に連続して内側面Ｓ２から窪む突起受容溝部９を設けることにより、それらの突起部８から突起受容溝部９にかけて、基板２ａ、２ｂの正面視で基板２ａ、２ｂの延在方向に対して所要の角度で傾斜するガイド傾斜面１０を形成し、スライド開放機構６を構成する。
ここでは、他方のプレート部材７ａにも、同様の突起部８及び突起受容溝部９とガイド傾斜面１０を形成している。
【００２３】
上記のスライド開放機構６を設けたルーズリーフ綴具１では、使用者が、図４（ａ）に示すように、二枚の基板２ａ、２ｂを、その延在方向に沿って相対変位させると、一方の基板２ａ、２ｂに設けた突起部８が、同図に矢印で示すように、他方の基板２ｂ、２ａに設けた突起受容溝部９内を、ガイド傾斜面１０側に向けてスライドする。
次いで、使用者が、二枚の基板２ａ、２ｂをさらに相対変位させることにより、一方の基板２ａ、２ｂ及び他方の基板２ｂ、２ａのそれぞれのガイド傾斜面１０が互いに接触し、それにより、使用者による基板２ａ、２ｂの延在方向の力の向きが、それらのガイド傾斜面１０で、図４（ｂ）に白抜き矢印で示すように、基板２ａ、２ｂを回動変位させる向きに変換される。
その結果として、互いに接触するガイド傾斜面１０の摺動に伴って、それぞれの基板２ａ、２ｂに設けた突起部８が互いに乗り上げることにより、図４（ｂ）に示すように、半リング部分３ａ、３ｂが開く方向に、基板２ａ、２ｂが回動変位することになる。
【００２４】
従って、このルーズリーフ綴具１によれば、使用者は、基板２ａ、２ｂを延在方向に沿って相対変位させる操作を行うだけで、基板２ａ、２ｂの回動変位に基く、半リング部分３ａ、３ｂの少なくとも初期の開放動作をもたらすことができるので、半リング部分３ａ、３ｂを開く際の、使用者によるルーズリーフ綴具１の操作性を大きく向上させることができる。
【００２５】
また、先述したように、ねじりコイルばねを用いて、その両脚部を二枚の基板の間に挟み込んで配置することにより、基板の自動的な回動変位を実現することも可能であるが、このようなねじりコイルばねの配置は、ルーズリーフ綴具を製造する際の、二枚のプレート部材を組み立てる作業の作業性を低下させることから、特にルーズリーフ綴具の量産には適さない場合があった。
これに対し、この発明の実施形態のルーズリーフ綴具１では、図５に示すような通常のコイルばねのように、二枚の基板２ａ、２ｂの相互を、延在方向に沿う相対変位に抗する向きだけに付勢する弾性部材ＲＭを、図６に示すように、基板２ａ、２ｂの裏面Ｂ側に配置した場合であっても、使用者による基板２ａ、２ｂの相対変位の操作により、上述したスライド開放機構６の機能に基き、半リング部分３ａ、３ｂが開く方向への基板２ａ、２ｂの回動変位を生じさせることが可能になるので、ねじりコイルばねを用いることが不要になって、製造能率の観点からも有利である。
【００２６】
なお、上記のスライド開放機構６のように、基板２ａ、２ｂのそれぞれに、対をなすガイド傾斜面１０を設けることは、この発明の必須の構成ではない。たとえば、図示は省略するが、一方の基板に、延在方向に対して傾斜する傾斜面を設けるとともに、他方の基板に、その傾斜面上をスライドする突起状部分を設けること等によっても、基板の相対変位に伴う回動変位を実現することができる。つまり、二枚の基板の相互の隣接箇所に、使用者が作用させる延在方向の力の向きを、半リング部分が回動変位する向きに変換することのできる形状等が形成されていればよい。
【００２７】
ところで、この実施形態のルーズリーフ綴具１では、図６に示すところから解かるように、半リング部分３ａ、３ｂの開放位置と閉鎖位置との間の移動をもたらす基板２ａ、２ｂの回動変位を実現するため、少なくとも一方の基板２ａ、２ｂの裏面Ｂに、その裏面Ｂから隆起するとともに、基板２ａ、２ｂの延在方向に沿って互いに離隔して位置する二個以上の円柱状等のシャフト連結部１１を、一方の基板２ａ、２ｂと一体に設け、そして、シャフト連結部１１の間に、裏面Ｂから一定の間隔をおいて基板２ａ、２ｂと平行に延びる両端固定シャフト１２を設け、その両端固定シャフト１２の各端部を、シャフト連結部１１のそれぞれに一体的に連結する。また、他方の基板２ｂ、２ａの裏面Ｂには、基板２ａ、２ｂの延在方向で前記の両端固定シャフト１２の配設位置と対応する隣接位置に、両端固定シャフト１２の周囲を、その周方向の一部を除いて取り囲むシャフト把持部１３を、他方の基板２ｂ、２ａと一体に設ける。
そしてここでは、他方の基板２ｂ、２ａのシャフト把持部１３を、一方の基板２ａ、２ｂの両端固定シャフト１２にその周囲を囲繞させて嵌め込むことで、両基板２ａ、２ｂを相互に連結するとともに、シャフト把持部１３が両端固定シャフト１２の周りで相対的に摺動変位可能とし、それにより、基板２ａ、２ｂを、その両端固定シャフト１２の周りで回動変位させることができる。
【００２８】
この構成によれば、基板２ａ、２ｂのそれぞれに一体形成した両端固定シャフト１２及びシャフト把持部１３によって、基板２ａ、２ｂの回動変位が可能になるので、金属製等の軸部材を別途設けることが不要になり、その結果として、部材点数の削減に起因する製造能率の向上、材料コストの低減を実現することができる。
【００２９】
また、この実施形態では、いずれの基板２ａ、２ｂも、その延在方向の中央域を隔てた一方側に、一本以上の両端固定シャフト１２及び二個以上のシャフト連結部１１を設け、また、延在方向の他方側に、一個以上のシャフト把持部１３を設けている。さらにここでは、延在方向の中央域を隔てて位置するそれらの両端固定シャフト１２とシャフト把持部１３の配設本数ないし個数を、互いに等しい数（たとえば三本ないし三個）とし、一方のプレート部材７ａと他方のプレート部材７ｂを同一の形状としている。
【００３０】
そしてまた、このルーズリーフ綴具１では、シャフト把持部１３は、たとえば円筒等の筒状をなすものとし、この筒状のシャフト把持部１３の側壁には、図６、７に示すように、基板２ａ、２ｂの延在方向と平行なその軸線方向の全長にわたって延びるスリット１３ａを設けている。このスリット１３ａにより、シャフト把持部１３内への両端固定シャフト１２の嵌込みが可能になる。
【００３１】
ここにおいて、この発明では、図６及び７に示すように、上述したシャフト把持部１３及びシャフト連結部１１のうち、互いに隣接するシャフト把持部１３又はシャフト連結部１１の端面に、該端面から窪む係合凹部１４を設け、その端面に隣接するシャフト把持部１３又はシャフト連結部１１の端面に、半リング部分３ａ、３ｂの閉鎖位置で前記係合凹部１４に嵌まり込むとともに、基板２ａ、２ｂの延在方向に沿う相対変位に伴い、係合凹部１４から外れる係合凸部１５を設けることが好ましい。
図６及び７に示すところでは、一部のシャフト把持部１３及びシャフト連結部１１で、シャフト把持部１３に設けたスリット１３ａに、上記の係合凸部１５を係合させており、このスリット１３ａを係合凹部１４として用いることも可能である。
【００３２】
これらの係合凹部１４及び係合凸部１５は、半リング部分３ａ、３ｂの閉鎖位置では互いに係合して、半リング部分３ａ、３ｂを閉鎖位置で拘束するロック手段として機能する。
一方、使用者が、半リング部分３ａ、３ｂを開くために、基板２ａ、２ｂをその延在方向に沿って相対変位させた場合、係合凸部１５は、係合凹部１４から外れてロックが解除され、その後、先述したスライド開放機構６の機能に基いて、半リング部分３ａ、３ｂが開く方向に基板２ａ、２ｂが回動変位するに伴って、係合凸部１５は、係合凹部１４を設けたシャフト把持部１３又はシャフト連結部１１の端面上を、所定の摩擦力の作用の下でスライドする。
【００３３】
このとき、シャフト把持部１３又はシャフト連結部１１の端面と、そこをスライドする係合凸部１５との間の摩擦抵抗を増大させて、半リング部分３ａ、３ｂが開放位置へ至るまでの開き具合を調整するため、図８に、一方のプレート部材７ｂの背面図で示すように、係合凹部１４を設けたシャフト把持部１３又はシャフト連結部１１の端面に、基板２ａ、２ｂの延在方向に沿う相対変位によりその係合凹部１４から外れた係合凸部１５が、基板２ａ、２ｂの回動変位に際して当接して摺動する凸部スライド領域１６を、端面から隆起させて設けることが好適である。
【００３４】
この実施形態では、上記の凸部スライド領域１６を、図９及び図１０に拡大して示すように、シャフト把持部１３の端面で、係合凹部としても機能するスリット１３ａと基板２ａ、２ｂの裏面Ｂとの間の位置に突出させて設けることとし、この凸部スライド領域１６に、基板２ａ、２ｂの裏面Ｂからスリット１３ａ側に向かうに従い突出高さを漸減させて形成したスライド面１６ａを形成している。さらにここでは、凸部スライド領域１６の、スライド面１６ａと隣り合う側面を、ストッパー面１６ｂとする。
なお、この凸部スライド領域１６は、シャフト把持部１３の端面及び、基板２ａ、２ｂの裏面Ｂに一体に形成されている。
【００３５】
このような凸部スライド領域１６を設けたルーズリーフ綴具１によれば、先述したように係合凹部１４及び係合凸部１５によるロックが解除された後、基板２ａ、２ｂの回動変位に伴って、図１１（ａ）に示すように、凸部スライド領域１６を設けたシャフト把持部１３では、隣接するシャフト連結部１１の端面の係合凸部１５が、凸部スライド領域１６のスライド面１６ａ上に乗り上げて、弾性部材ＲＭによる付勢力の作用下で、そのスライド面１６ａ上をスライドする。
【００３６】
そして、係合凸部１５が、凸部スライド領域１６のスライド面１６ａを超えたところで、弾性部材ＲＭによる延在方向の付勢力に基き、係合凸部１５は、図１１（ｂ）に示すように、凸部スライド領域１６を超えた先に落ち込んで、凸部スライド領域１６のストッパー面１６ｂと当接する。これにより、半リング部分３ａ、３ｂが、図１２に示すように、所定の開き角度θとなる開放位置に到達した際に、係合凸部１５と凸部スライド領域１６のストッパー面１６ｂとの当接が、半リング部分３ａ、３ｂの閉鎖位置に戻る向きの基板２ａ、２ｂの回動変位を防止するので、半リング部分３ａ、３ｂの開き角度θが維持されることになる。なお、シャフト把持部１３の端面からの凸部スライド領域１６の突出高さを低くすることで、使用者が半リング部分３ａ、３ｂが閉じる方向へ僅かに力を作用させることによって、係合凸部１５が凸部スライド領域１６を乗り越えて、半リング部分３ａ、３ｂを閉鎖位置に移動させることができる。なお図１３に、ルーズリーフ綴具１の半リング部分３ａ、３ｂが開いた状態を側面図で示す。
【００３７】
このような係合凹部１４（スリット１３ａ）及び係合凸部１５並びに凸部スライド領域１６は、半リング部分３ａ、３ｂの閉鎖位置では、基板２ａ、２ｂの相対変位なしに半リング部分３ａ、３ｂが開くことを防止する一方で、半リング部分３ａ、３ｂの開放位置では、半リング部分３ａ、３ｂが意図せずに閉じることを抑制して半リング部分３ａ、３ｂの開放状態を維持するべく機能する開放維持機構付きロック手段Ｌｃを構成する。開放維持機構付きロック手段Ｌｃを構成する係合凹部１４（スリット１３ａ）及び係合凸部１５並びに凸部スライド領域１６を、図１４（ａ）及び（ｂ）に、各プレート部材の部分拡大斜視図で示す。
【００３８】
この他のロック手段として、一方の基板２ａ、２ｂに設けた一個の係合凹部１４及び、他方の基板２ｂ、２ａに設けた一個の係合凸部１５だけで構成されて、半リング部分３ａ、３ｂの閉鎖位置で半リング部分３ａ、３ｂが開くことを防止する機能のみを有する通常のロック手段や、半リング部分３ａ、３ｂの閉鎖位置での半リング部分３ａ、３ｂの開放防止機能とともに、半リング部分３ａ、３ｂの開放位置で所定の開き角度θを越えて開放することを防止する機能を付与した開き規制機構付きロック手段Ｌｏを設けることもできる。
【００３９】
このうち、開き規制機構付きロック手段Ｌｏは、図１５に示すように、たとえば、両基板２ａ、２ｂの互いに隣接するシャフト把持部１３及びシャフト連結部１１のそれぞれに設けた二組の係合凸部１５及び係合凹部１４で構成することができる。より詳細には、図１５に示すところでは、一方の基板２ａのシャフト把持部１３に、スリット１３ａとしての係合凹部１４を設けるとともに、当該シャフト把持部１３の端面に、係合凸部１５を前記スリット１３ａから周方向に間隔をおいて設けている。また他方の基板２ｂのシャフト連結部１１には、一方の基板２ａ側の前記係合凸部１５に対応する係合凹部１４と、一方の基板２ａ側の前記スリット１３ａに対応する係合凸部１５を設けている。
【００４０】
かかる開き規制機構付きロック手段Ｌｏによれば、二枚の基板２ａ、２ｂをその延在方向に沿って相対変位させることで、二組の係合凸部１５及び係合凹部１４のそれぞれのロックが解除され、その後、半リング部分３ａ、３ｂが所定の開き角度θの開放位置まで開いた際に、二組の係合凸部１５及び係合凹部１４のうちのそれぞれの係合凸部１５が、図１６に断面図で示すように互いに当接することにより、半リング部分３ａ、３ｂがその開き角度θを越えて開放することを防止することができて、半リング部分３ａ、３ｂの更なる開放が制限されることになる。
【００４１】
なおこの開き規制機構付きロック手段Ｌｏでは、他方の基板２ｂ側のシャフト連結部１１に設けた係合凸部１５に、図１５（ａ）に示すように、該係合凸部１５を一方の基板２ａ側に向けて延長させる凸部延長箇所１５ａを形成し、また、一方の基板２ａのシャフト把持部１３のスリット１３ａの該基板２ａ側の部分に、図１５（ｂ）に示すように、半リング部分３ａ、３ｂの閉鎖状態で上記の凸部延長箇所１５ａが入り込む受容スペース１３ｂを、基板２ａ側に窪ませて形成している。
これらの凸部延長箇所１５ａ及び受容スペース１３ｂは、半リング部分３ａ、３ｂの閉鎖状態で互いに係合して、半リング部分３ａ、３ｂの閉鎖状態での基板２ａ、２ｂの相互の意図しない離隔をより確実に防止する。なお、基板２ａ、２ｂを延在方向に相対変位させると、凸部延長箇所１５ａは、基板２ａ、２ｂの延在方向に沿って変位して、受容スペース１３ｂから外れ、それらの係合状態が解除される。
【００４２】
なお、上述した通常のロック手段、開放維持機構付きロック手段Ｌｃ及び開き規制機構付きロック手段Ｌｏは、そのうちの一種類以上を選択的に設けることができ、また、各ロック手段を二個以上設けることもできる。
【００４３】
以上に述べたルーズリーフ綴具１では、弾性部材ＲＭとして、ねじりコイルばねに代えて通常のコイルばねを用いることができることは先述したとおりであるが、このような通常のコイルばねは、ルーズリーフ綴具１の、図１７に示す箇所に配置することができる。
すなわち、図１７に示すところでは、基板２ａ、２ｂの延在方向の中央域に近接する二個のシャフト連結部１１のそれぞれの、互いに向き合う端面に、その端面を先端側に向けて次第に小径としたテーパ凸状のばね受け部１７を形成している。これらのテーパ凸状のばね受け部に、コイルばねの端部を嵌め込むことにより、コイルばねを配置することができる。
【００４４】
また、上記のテーパ凸状のばね受け部１７を採用するか否かに関わらず、基板２ａ、２ｂの外側面Ｓ１には、図１７に示すような、コイルばねをその半径方向の両側から挟むサポート壁部１８を設けることができ、それにより、コイルばねの意図しない外れを防止することができる。
【符号の説明】
【００４５】
１  ルーズリーフ綴具
２ａ、２ｂ  基板
３ａ、３ｂ  半リング部分
４ａ、４ｂ  先端部
５ａ、５ｂ  摘み部分
６  スライド開放機構
７ａ、７ｂ  プレート部材
８  突起部
９  突起受容溝部
１０  ガイド傾斜面
１１  シャフト連結部
１２  両端固定シャフト
１３  シャフト把持部
１３ａ  スリット（係合凹部）
１３ｂ  受容スペース
１４  係合凹部
１５  係合凸部
１５ａ  凸部延長箇所
１６  凸部スライド領域
１６ａ  スライド面
１６ｂ  ストッパー面
１７  テーパ凸状のばね受け部
１８  サポート壁部
Ｌｃ  開放維持機構付きロック手段
Ｌｏ  開き規制機構付きロック手段
ＲＭ  弾性部材
θ  開き角度
Ｆ  表面
Ｂ  裏面
Ｓ１  外側面
Ｓ２  内側面（隣接面）
【要約】
【課題】ルーズリーフ綴具の製造能率を低下させることなしに、使用者による基板の相対変位の操作の後の、基板の回動変位の操作を補助し、それにより、ルーズリーフ綴具の操作性を向上させることのできるルーズリーフ綴具を提供する。
【解決手段】二枚の基板２ａ、２ｂの相互の隣接箇所のそれぞれに、基板２ａ、２ｂの延在方向に沿う相対変位に伴い、互いに接触して摺動することにより、対をなす半リング部分３ａ、３ｂの先端部４ａ、４ｂを互いに離隔させる基板２ａ、２ｂの回動変位をもたらすスライド開放機構６を設ける。
【選択図】図１【図１】
0005792405.tif 000002
【図２】
0005792405.tif 000003
【図３】
0005792405.tif 000004
【図４】
0005792405.tif 000005
【図５】
0005792405.tif 000006
【図６】
0005792405.tif 000007
【図７】
0005792405.tif 000008
【図８】
0005792405.tif 000009
【図９】
0005792405.tif 000010
【図１０】
0005792405.tif 000011
【図１１】
0005792405.tif 000012
【図１２】
0005792405.tif 000013
【図１３】
0005792405.tif 000014
【図１４】
0005792405.tif 000015
【図１５】
0005792405.tif 000016
【図１６】
0005792405.tif 000017
【図１７】
0005792405.tif 000018
【図１８】
0005792405.tif 000019
【図１９】
0005792405.tif 000020